【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
第２のデバイスが事前に構築したアドホックネットワークに第１のデバイスを入らせる方法であって、
Ｎ個目毎のビーコン送信期間において、事前にレジストラとして設定されている前記第１のデバイスを走査モードにして、前記第２のデバイスが送信するビーコンを走査させる段階と、
前記走査モードにいる間に前記第２のデバイスのビーコンを前記第１のデバイスがインターセプトする場合、オプションを有する前記第１のデバイスのユーザに前記アドホックネットワークに入るように指示する段階と
を備える方法。
【請求項２】
前記ユーザが前記オプションに対して肯定的な応答を返す場合、前記第１のデバイスのビーコンを変更して前記第２のデバイスに対応付けられている属性を含める段階と、
前記ユーザが前記オプションに対して肯定的な応答を返す場合、前記第１のデバイスをエンローリーとして再設定することを試みる段階と
をさらに備える、請求項１に記載の方法。
【請求項３】
条件が満たされる場合、前記第１のデバイスの前記ビーコンを変更する段階
をさらに備える、請求項２に記載の方法。
【請求項４】
前記条件は、タイムスタンプの比較によって定められる
請求項３に記載の方法。
【請求項５】
前記条件は、メディアアクセスコントローラ（ＭＡＣ）アドレスの比較によって定められる
請求項３または請求項４に記載の方法。
【請求項６】
前記ユーザに指示する段階は、ＬＣＤパネルに表示される文字列を介して前記オプションを提示する段階を含む
請求項３から請求項５のいずれか１つに記載の方法。
【請求項７】
前記ユーザに指示する段階は、可聴音によって前記オプションを提示する段階を含む
請求項３から請求項６のいずれか１つに記載の方法。
【請求項８】
前記第１のデバイスの前記ビーコンを変更して前記第２のデバイスに対応付けられている前記属性を含める段階は、
前記第１のデバイスの前記ビーコンを変更して前記第２のデバイスのメディアアクセスコントローラ（ＭＡＣ）アドレスを含める段階を含む
請求項３から請求項７のいずれか１つに記載の方法。
【請求項９】
前記第１のデバイスおよび前記第２のデバイスの電源をＯＦＦに制御することを要さずに、前記第２のデバイスが事前に構築した前記アドホックネットワークに前記第１のデバイスを入らせる段階
をさらに備える、請求項１から請求項８のいずれか１つに記載の方法。
【請求項１０】
第２のデバイスが事前に構築したアドホックネットワークに第１のデバイスを追加する方法であって、前記第１のデバイスおよび前記第２のデバイスが事前にレジストラとして設定されている場合に、
Ｎ個目毎のビーコン送信期間において前記第２のデバイスを走査モードにして、前記第１のデバイスが送信するビーコンを走査させる段階と、
前記走査モードの期間において前記第１のデバイスのビーコンをインターセプトする段階と、
前記インターセプトされたビーコンが前記第２のデバイスの属性を含むか否か確認する段階と、
前記インターセプトされたビーコンが前記属性を含む場合、前記第１のデバイスが前記アドホックネットワークに追加されることを許可するか否か判断するようオプションを用いてユーザに指示する段階と
を備える方法。
【請求項１１】
前記ユーザが前記オプションに対して肯定的な応答を返す場合、ハンドシェイクを実行する段階
をさらに備える、請求項１０に記載の方法。
【請求項１２】
前記ユーザに指示する段階は、ＬＣＤパネルに表示される文字列を介して前記オプションを提示する段階を含む
請求項１０または請求項１１に記載の方法。
【請求項１３】
前記ユーザに指示する段階は、可聴音によって前記オプションを提示する段階を含む
請求項１０から請求項１２のいずれか１つに記載の方法。
【請求項１４】
前記属性は、前記第２のデバイスのメディアアクセスコントローラ（ＭＡＣ）アドレスである
請求項１０から請求項１３のいずれか１つに記載の方法。
【請求項１５】
前記第１のデバイスのビーコンを変更して、前記第２のデバイスに対応付けられている前記属性を含める段階
をさらに備える、請求項１０から請求項１４のいずれか１つに記載の方法。
【請求項１６】
前記第１のデバイスおよび前記第２のデバイスの電源をＯＦＦに制御することを要さずに、前記第２のデバイスが事前に構築した前記アドホックネットワークに前記第１のデバイスを追加する段階
さらに備える、請求項１０から請求項１５のいずれか１つに記載の方法。
【請求項１７】
無線アドホックネットワークセッションに入るデバイスであって、
最初はレジストラとして動作するよう設定されており、
Ｎ個目毎のビーコン送信期間において走査モードで動作して別のデバイスが送信するビーコンを走査し、
前記走査モードにある間に前記別のデバイスのビーコンを前記デバイスがインターセプトする場合、前記別のデバイスのアドホックネットワークに入るようにオプションを用いてユーザに指示する
デバイス。
【請求項１８】
前記デバイスはさらに、
前記ユーザがオプションに対して肯定的な応答を返す場合、前記デバイスの前記ビーコンを変更して前記別のデバイスに対応付けられている属性を含め、
前記ユーザが前記オプションに対して肯定的な応答を返す場合、前記デバイスはエンローリーとして設定される
請求項１７に記載のデバイス。
【請求項１９】
前記デバイスはさらに、条件が満たされる場合、前記デバイスの前記ビーコンを変更する
請求項１８に記載のデバイス。
【請求項２０】
前記条件は、タイムスタンプの比較によって定められる
請求項１９に記載のデバイス。
【請求項２１】
前記条件は、メディアアクセスコントローラ（ＭＡＣ）アドレスの比較によって定められる
請求項１９または請求項２０に記載のデバイス。
【請求項２２】
前記デバイスは、前記オプションを表示するためのＬＣＤパネルを備える
請求項１８から請求項２１のいずれか１つに記載のデバイス。
【請求項２３】
前記デバイスは、前記オプションを聞こえるように放送するためのスピーカを備える
請求項１８から請求項２２のいずれか１つに記載のデバイス。
【請求項２４】
前記属性は、前記別のデバイスのメディアアクセスコントローラ（ＭＡＣ）アドレスである
請求項１８から請求項２３のいずれか１つに記載のデバイス。
【請求項２５】
前記デバイスは、ＯＦＦに制御されることなく、前記無線アドホックネットワークセッションに入る
請求項１７から請求項２４のいずれか１つに記載のデバイス。
【請求項２６】
デバイスであって、
Ｎ個目毎のビーコン送信期間において走査モードに入り、別のデバイスが送信するビーコンを走査してインターセプトして、
前記インターセプトしたビーコンが前記デバイスの属性を含むか否か確認して、
前記デバイスが事前に構築したアドホックネットワークに前記別のデバイスを追加することを許可するか否か判断するようオプションを用いてユーザに指示する
デバイス。
【請求項２７】
前記デバイスはさらに、前記ユーザが前記オプションに対して肯定的な応答を返す場合にハンドシェイクを開始して、前記別のデバイスの前記アドホックネットワークへの追加を許可する
請求項２６に記載のデバイス。
【請求項２８】
前記デバイスは、オプションを表示するためのＬＣＤパネルを備える
請求項２６または請求項２７に記載のデバイス。
【請求項２９】
前記デバイスは、オプションを聞こえるように放送するためのスピーカを備える
請求項２６から請求項２８のいずれか１つに記載のデバイス。
【請求項３０】
前記属性は、前記デバイスのメディアアクセスコントローラ（ＭＡＣ）アドレスである
請求項２６から請求項２９のいずれか１つに記載のデバイス。
【請求項３１】
前記デバイスはさらに、ビーコンを変更して前記別のデバイスに対応付けられる属性を含める
請求項２６から請求項３０のいずれか１つに記載のデバイス。
【請求項３２】
前記デバイスはさらに、前記別のデバイスをＯＦＦに制御することなく前記アドホックネットワークに追加することを許可する
請求項２６から請求項３１のいずれか１つに記載のデバイス。
【手続補正２】
【補正対象書類名】明細書
【補正対象項目名】０００９
【補正方法】変更
【補正の内容】
【０００９】
無線ネットワーク機能を持つ電子デバイスが普及するにつれて、２つ以上の無線ネットワーク機能付電子デバイスが、アドホック無線ネットワークを形成して、アクセスポイントを利用することなくデータのやり取りを行ったり、または、通信し合うことが求められるようになっている。また、こういったデータのやり取りまたは通信は、ユーザが使い易い形で実行されるようにすることが望ましい。
米国特許出願公開第２００７／００３０８２４号明細書
米国特許出願公開第２００７／０１４１９８８号明細書
米国特許出願公開第２００１／００５５９５０号明細書
米国特許出願公開第２００３／０１６３５７９号明細書